(57)【要約】【課題】様々な大きさや形状の荷物の積み降ろしを簡単かつ効率的に行うことができるトラックの荷台構造を提供する。【解決手段】トラック１は、ボディ３の天井３１を構成する一対の天井パネル６ａ，６ｂを備える。一対の天井パネル６ａ，６ｂは、ボディ３の両側部側からそれぞれ上下方向に開閉可能に支持される。そして、この一対の天井パネル６ａ，６ｂを、閉状態での一対の天井パネル６ａ，６ｂがキャブ２の天井２４よりも下方となる位置でそれぞれ支持する。一対の天井パネル６ａ，６ｂは、閉状態において上面に荷物を積載する積載部６ｃを形成する。【選択図】図１
2015131516.tif 000002
【特許請求の範囲】
【請求項１】
キャブとボディとを有するトラックの荷台構造であって、
前記ボディの天井を構成する一対の天井パネルと、
前記一対の天井パネルを前記ボディの両側部側からそれぞれ上下方向に開閉可能に支持する支持部材とを有し、
前記支持部材は、閉状態での前記一対の天井パネルが前記キャブの天井よりも下方となる位置で前記一対の天井パネルをそれぞれ支持し、
前記一対の天井パネルは、閉状態において上面に荷物を積載する積載部を形成する
ことを特徴とするトラックの荷台構造。
【請求項２】
請求項１に記載のトラックの荷台構造において、
前記ボディは、床の両側部からそれぞれ立設する一対の側煽りを有し、
前記一対の側煽りは、前記ボディよりも下方に開放可能に構成されており、
閉状態の前記一対の天井パネルと立設状態の前記一対の側煽りとの間には、それぞれ間隙が形成される
ことを特徴とするトラックの荷台構造。
【請求項３】
請求項２に記載のトラックの荷台構造において、
前記間隙をそれぞれ覆うシート部材を有する
ことを特徴とするトラックの荷台構造。
【請求項４】
請求項１から３のいずれかに記載のトラックの荷台構造において、
前記ボディは、
床の両側部からそれぞれ立設する一対の側煽りと、
前記床の後部から立設する後煽りとを有し、
前記一対の側煽りは、それぞれ前記ボディの外部に向けて開放可能に構成され、
前記支持部材は、前記一対の天井パネルを前記床の後側でそれぞれ支持する後支持部材を有し、
前記後支持部材は、前記後煽りに取り付けられる
ことを特徴とするトラックの荷台構造。
【請求項５】
請求項１から４のいずれかに記載のトラックの荷台構造において、
前記キャブは、窓を有する背面部を前記ボディ側に有し、
前記支持部材は、閉状態での前記一対の天井パネルが前記窓よりも下方となる位置で前記一対の天井パネルをそれぞれ支持する
ことを特徴とするトラックの荷台構造。
【請求項６】
請求項１から５のいずれかに記載のトラックの荷台構造において、
前記ボディの後壁を構成する後パネルを有し、
前記支持部材は、前記後パネルを前記ボディの後部側から開放可能に支持する
ことを特徴とするトラックの荷台構造。
【請求項７】
請求項１から６のいずれかに記載のトラックの荷台構造において、
前記キャブの前記ボディ側または前記ボディの前記キャブ側には鳥居が立設されており、
前記支持部材は、
前記ボディの床の後側における両側部においてそれぞれ立設される一対の支柱部と、
前記一対の支柱部間を、閉状態における前記一対の天井パネルよりも上方において接続する接続部とを有する
ことを特徴とするトラックの荷台構造。
【請求項８】
請求項７に記載のトラックの荷台構造において、
前記一対の支柱部は、前記接続部の上端よりも下方の位置に紐掛け用のフックを有する
ことを特徴とするトラックの荷台構造。
【発明の詳細な説明】
【技術分野】
【０００１】
本発明は、トラックの荷台構造に関する。
【背景技術】
【０００２】
キャブとボディとを有するトラックの荷台構造として、ウィングボディによる荷台構造が知られている（例えば、下記特許文献１を参照）。
特許文献１に記載のウィングボディは、断面Ｌ字状の一対の所謂ウィングパネルがボディの両側部側からそれぞれ上下方向に開閉可能に構成されている。このような構成のウィングボディでは、ボディ内に積んだ荷物を風雨などから保護しつつ、ボディの両側部側からそれぞれ荷物の積み降ろしを容易に行うことができる。
【先行技術文献】
【特許文献】
【０００３】
【特許文献１】特開２００８−２２１９６３号公報
【発明の概要】
【発明が解決しようとする課題】
【０００４】
しかしながら、従来のウィングボディによる荷台構造は、クレーンやフォークリフトなどを用いてパレットに載せた荷物の積み降ろしを行うようなトラックに採用される場合が多いため、通常、荷物の積載空間は単純な箱型形状となっている。
したがって、様々な大きさや形状の荷物の積み降ろしを行うトラック（例えば、各種作業用の軽トラックなどの小型トラック）に採用した場合、ボディ内に整理して荷物を積むことが煩わしく、荷物の積み降ろしを簡単かつ効率的に行うことが難しいという問題点があった。
例えば、ベニヤ板と工具箱などの荷物を大量にボディ内に積む場合、ベニヤ板をボディの床の上に置き、さらに、その上に工具箱を載せれば、工具箱の上にベニヤ板を置くよりも荷物を安定して積むことができる。
しかしながら、このように荷物を積むと、ボディからベニヤ板だけを先に取り出したい場合であっても、工具箱も一緒に出さなければならず、積み降ろし作業が煩わしかった。
【０００５】
本発明の目的は、様々な大きさや形状の荷物の積み降ろしを簡単かつ効率的に行うことができるトラックの荷台構造を提供することにある。
【課題を解決するための手段】
【０００６】
本発明のトラックの荷台構造は、キャブとボディとを有するトラックの荷台構造であって、前記ボディの天井を構成する一対の天井パネルと、前記一対の天井パネルを前記ボディの両側部側からそれぞれ上下方向に開閉可能に支持する支持部材とを有し、前記支持部材は、閉状態での前記一対の天井パネルが前記キャブの天井よりも下方となる位置で前記一対の天井パネルをそれぞれ支持し、前記一対の天井パネルは、閉状態において上面に荷物を積載する積載部を形成することを特徴とする。
【０００７】
ここで、特許文献１に開示されているような一対のウィングパネルを有するウィングボディによる荷台構造は、前述したように、クレーンやフォークリフトを用いてパレットに載せた荷物の積み降ろしを行うようなトラックへの採用を想定している。このため、ボディ内の積載空間をできるだけ大きくすべく、閉状態におけるウィングパネルの天井がキャブの天井よりも上方に位置するように構成されている。
このようなことから、従来のウィングパネルは、主としてボディの両側面側から荷物の積み降ろしを容易に行うことと、ボディ内に積んだ荷物を風雨などから保護することとを目的としており、ウィングボディの荷台構造においては、閉状態の一対のウィングパネルの天井面上に荷物を積載するという発想は想起しえない。
【０００８】
しかしながら、本発明によれば、閉状態での一対の天井パネルがキャブの天井よりも下方となる位置で支持され、その一対の天井パネルの上面に荷物を積載する積載部が形成される。これにより、従来１つであった積載空間を一対の天井パネルを境として上下に分割することができ、閉状態での一対の天井パネルよりも下の空間だけでなく、閉状態での一対の天井パネルの上にも荷物を積むことができる。
したがって、積載する荷物の大きさや形状に応じて、閉状態での一対の天井パネルの上と下とで荷物を積み分けることができる。例えば、ベニヤ板と工具箱を一緒に積む場合であっても、工具箱を一対の天井パネルの下に積み、ベニヤ板を閉状態での一対の天井パネルの積載部に積むことができるので、前述したようにベニヤ板を取り出すために工具箱も一緒に降ろす必要がなくなる。
また、支持部材が一対の天井パネルをボディの両側部側からそれぞれ上下方向に開閉可能に支持するので、一対の天井パネルを開状態にして荷物の積み降ろしを行うことができる。つまり、荷物の積み降ろしをボディの両側部側のどこからでも同時かつ容易に行うことができる。
以上のことから、本発明によれば、荷物の積み降ろしを簡単かつ効率的に行うことができる。
【０００９】
また、一対の天井パネルがボディの天井を構成するため、一対の天井パネルの下に積んだ荷物に風雨などが当たることを防止でき、荷物の用途に応じた適切な積載を行うことができる。例えば、頻繁には使用せず、風雨などにさらしたくない工具類を一対の天井パネルの下に積み、移動中のみ積載するベニヤ板などの材料を一対の天井パネルによる積載部に積むことができる。
【００１０】
本発明では、前記ボディは、床の両側部からそれぞれ立設する一対の側煽りを有し、前記一対の側煽りは、前記ボディよりも下方に開放可能に構成されており、閉状態の前記一対の天井パネルと立設状態の前記一対の側煽りとの間には、それぞれ間隙が形成されることが好ましい。
本発明によれば、閉状態の一対の天井パネルと立設状態の一対の側煽りとの間に、それぞれ間隙が形成されるので、一対の側煽りがそれぞれ立設状態であっても、間隙からそれぞれ荷物を取り出すことができる。また、一対の側煽りをボディよりも下方に開放することで、間隙を通らない大きな荷物であっても、一対の天井パネルをそれぞれ閉状態としたまま積み降ろしを行うことができる。
【００１１】
ここで、従来のウィングパネルは、ボディの天井を構成する天井パネルと側壁を構成する側壁パネルとによる断面Ｌ字状に形成されている。したがって、荷物の積み降ろしを容易とするには、側壁パネルが積み降ろしの邪魔にならないように、ウィングパネルを大きく開ける必要がある（例えば、前記特許文献１の図１参照）。これによって、開状態ではウィングパネルがキャブの天井よりも上方に大きく突出することになり、天井スペースが狭い場所ではウィングパネルを開状態にできなかった。
【００１２】
しかしながら、本発明によれば、閉状態での一対の天井パネルがキャブの天井よりも下方となる位置で一対の天井パネルを支持するので、その分、開状態における天井パネルも低い位置とすることができる。さらに、閉状態の一対の天井パネルと立設状態の一対の側煽りとの間を間隙として、前述した側壁パネルがない構成としているため、一対の天井パネルをそれぞれ開けた際に側壁パネルが邪魔になることがない。したがって、一対の天井パネルをそれぞれ大きく開けなくても荷物の積み降ろしを容易に行うことができる。
【００１３】
本発明では、前記間隙をそれぞれ覆うシート部材を有することが好ましい。
本発明によれば、閉状態の一対の天井パネルと立設状態の一対の側煽りの間隙をそれぞれシート部材によって覆うことができるので、間隙を介して外部から風雨などが侵入することを確実に防止することができ、積載した荷物を保護することができる。
【００１４】
本発明では、前記ボディは、床の両側部からそれぞれ立設する一対の側煽りと、前記床の後部から立設する後煽りとを有し、前記一対の側煽りは、それぞれ前記ボディの外部に向けて開放可能に構成され、前記支持部材は、前記一対の天井パネルを前記床の後側でそれぞれ支持する後支持部材を有し、前記後支持部材は、前記後煽りに取り付けられることが好ましい。
本発明によれば、後支持部材が後煽りに取り付けられることで、後支持部材を一対の側煽りに干渉することなく取り付けることができる。
そして、一対の側煽りは、それぞれボディの外部に向けて開放可能であるため、後支持部材を取り付けた状態であっても一対の側煽りをそれぞれ開放することができ、ボディの両側部側からの荷物の積み降ろしが容易な状態を維持することができる。
【００１５】
本発明では、前記キャブは、窓を有する背面部を前記ボディ側に有し、前記支持部材は、閉状態での前記一対の天井パネルが前記窓よりも下方となる位置で前記一対の天井パネルをそれぞれ支持することが好ましい。
本発明によれば、閉状態での一対の天井パネルがキャブの背面部の窓よりも下方となる位置で支持部材が一対の天井パネルを支持するので、キャブ内からの後方視界が一対の天井パネルによって遮られることを防止することができる。これにより、キャブ内から窓を通じて後方確認を行うことができ、安全性を向上することができる。
【００１６】
本発明では、前記ボディの後壁を構成する後パネルを有し、前記支持部材は、前記後パネルを前記ボディの後部側から開放可能に支持することが好ましい。
本発明によれば、ボディの後壁を構成する後パネルを有することで、風雨などがボディの後部から侵入することを防止でき、さらには、急発進などで荷物がボディの後側から落下することを防止できる。
また、ボディの後部側から後パネルを開放することで、ボディの後部側から荷物の積み降ろしを行うことができる。
さらに、後パネルは支持部材に支持されるため、新たな部材を設けなくても後パネルを設けることができる。
【００１７】
本発明では、前記キャブの前記ボディ側または前記ボディの前記キャブ側には鳥居が立設されており、前記支持部材は、前記ボディの床の後側における両側部においてそれぞれ立設される一対の支柱部と、前記一対の支柱部間を、閉状態における前記一対の天井パネルよりも上方において接続する接続部とを有することが好ましい。
本発明によれば、接続部が一対の支柱部間を閉状態における一対の天井パネルよりも上方において接続するので、パイプや角材などの長物を鳥居および接続部により支持する形、すなわち長物の一端側を鳥居で支持し、他端側を接続部で支持する形で積載することができる。
そして、接続部の高さを長物の積載角度が適切になる位置に設定することで、長物を最適に積載することができる。例えば、接続部の高さを鳥居の高さに近づけることで、積載した長物を水平に近づけることができる。これにより、地上から、積載した長物の上端までの長さを小さくすることができ、天井スペースが狭い場所でもトラックを通過や駐車させることができる。
また、前述したように、開状態における一対の天井パネルをそれぞれ低い位置とすることができるので、鳥居および接続部に長物を積載した状態であっても、一対の天井パネルを開状態にして、ボディの両側面側からそれぞれ荷物の積み降ろしを行うことができる。さらには、一対の天井パネルを開状態にしたまま、鳥居および接続部に対して長物の積み降ろしを行うことができる。
【００１８】
本発明では、前記一対の支柱部は、前記接続部の上端よりも下方の位置に紐掛け用のフックを有することが好ましい。
本発明によれば、一対の支柱部における接続部の上端よりも下方の位置に紐掛け用のフックを有することで、鳥居および接続部の上に積載した長物を接続部側においてゴムバンドなどの紐部材とフックにより下方に押さえ付けて固定することができるので、安定して長物を積載することができる。
【図面の簡単な説明】
【００１９】
【図１】本発明の一実施形態の荷台構造を採用したトラックの全体斜視図である。
【図２】一実施形態における天井ユニットを説明するための分解斜視図である。
【図３】一実施形態における前支持部材を説明するための図である。
【図４】一実施形態における後支持部材を説明するための図である。
【図５】一実施形態での一対の天井パネルの開状態を説明するための図である。
【図６】一実施形態での一対の天井パネルの取付位置を説明するための図である。
【図７】一実施形態によるボディの使用態様を説明するための図である。
【図８】一実施形態によるボディの使用態様を説明するための図である。
【発明を実施するための形態】
【００２０】
以下、本発明の一実施形態によるトラックの荷台構造について説明する。
図１に示すトラック１は、軽トラックなどの小型の貨物自動車である。なお、以下の説明では、トラック１が前進する方向を前とし、後退する方向を後として説明する。また、トラック１から見て上空側を上とし、地面側を下として説明する。
【００２１】
トラック１は、大別して、主に人が乗車するための箱状のキャブ２（キャビン）と、主に荷物を積載するためのボディ３とで構成されている。
キャブ２は、ボディ３側となる後側に、前後方向に対して直交する平面状の背面部２１を有している。この背面部２１の上部には、窓２２が設けられており、キャブ２内に乗車した人が後方確認を行うことができる構造となっている。
また、この背面部２１には、窓２２の縁を囲い、その囲いの中を梯子状に補強した鳥居（アングルポスト）２３が立設して取り付けられており、キャブ２を保護する構造を有している。具体的には、この鳥居２３は、キャブ２の天井２４よりも上方に位置する長物支持部２３ａを上部に有している。この長物支持部２３ａは、パイプや角材などの長物を積載する際に長物の一端側を支持するのに用いられる部分であり、具体的には金属製のパイプで構成され、水平方向かつ前後方向に直交する方向に延びる構造を有している。また、長物支持部２３ａの両端には、それぞれ上方に突出した角部２３ｂが設けられている。
【００２２】
ボディ３は、いわゆる平ボディの荷台４、すなわち、床４１の両側部および後部にそれぞれ一対の側煽り４２ａ，４２ｂおよび後煽り４３が設けられた構造を有している。そして、ボディ３は、この平ボディの荷台４に、本発明の一実施形態によるトラックの荷台構造である天井ユニット５を取り付けて構成される。なお、この天井ユニット５は、図１に示す構成のほか、荷台４を覆うシート部材９（図２参照）も構成要素に含まれるが、図１では、内部構造の説明を容易とするため、シート部材９の図示を省略している。
一対の側煽り４２ａ，４２ｂは、前後方向に沿った軸を中心として回転可能に、荷台４の両側部端に蝶番などによってそれぞれ取り付けられており、床４１から立設する立設状態（図１に示す状態）と、荷台４の外部下方に向けて倒れて開放された状態とのいずれかを選択できるように開閉可能に構成されている。つまり、図１に示す立設状態から外部に向けて倒れるように開放可能に構成されている。
同様に、後煽り４３も、水平方向かつ前後方向に直交する方向に沿った軸を中心として回転可能に、荷台４の後部に蝶番などによって取り付けられており、床４１から立設する立設状態（図１に示す状態）と、荷台４の外部下方に向けて倒れて開放された状態とのいずれかを選択できるように開閉可能に構成されている。
【００２３】
以下、図２に示す分解斜視図を参照して、天井ユニット５について詳細に説明する。
天井ユニット５は、図１に示すボディ３の天井３１を構成する一対の天井パネル６ａ，６ｂと、この一対の天井パネル６ａ，６ｂを荷台４に取り付け支持する支持部材７と、ボディ３の後壁を構成する後パネル８と、荷台４に取り付けた一対の天井パネル６ａ，６ｂを覆うシート部材９とを有している。
【００２４】
一対の天井パネル６ａ，６ｂは、具体的には、それぞれボディ３の床４１の中央を前後方向に沿って２分した形状と略同形状（同形状を含む）の板面を有する板状部材で構成され、床４１の上方を覆う形状を有している。この一対の天井パネル６ａ，６ｂは、それぞれ上面が平坦に形成されている。例えば、この一対の天井パネル６ａ，６ｂは、角材などで長方形に囲った枠を梯子状に強化し、上面となる一方の面にベニヤ板などの板材を貼り合わせることで形成される。
【００２５】
支持部材７は、主として、梁状部材７１、前支持部材７２および後支持部材７３によって構成されている。
梁状部材７１は、具体的には、断面が四角状の長筒形状（角柱形状などであってもよい）を有しており、一対の天井パネル６ａ，６ｂを、それぞれ蝶番７１ａを介して長手方向に取り付けることで、一対の天井パネル６ａ，６ｂをそれぞれ前後方向に沿った軸を中心として回転可能に支持する。
【００２６】
前支持部材７２は、梁状部材７１の一端をキャブ２の背面部２１側に固定することで、一対の天井パネル６ａ，６ｂを、それぞれ床４１の前側で支持する。具体的には、前支持部材７２は、図３に示すように、断面Ｌ形の長尺なアングルで構成され、この長尺アングルを取り付けるネジなどの前側取付具７２ａと、梁状部材７１を固定するネジおよび連結アングルなどの前側固定具７２ｂとによって構成されている。
この前支持部材７２は、図３に示すように、前側取付具７２ａにより鳥居２３に、床４１（図２）と平行となるように着脱可能に取り付けられる。具体的には、鳥居２３は、窓２２の下方に、床４１（図２）と平行し、かつ、前後方向に直交する方向に延びる下補強部２３ｃを有しており、前支持部材７２は、この下補強部２３ｃに取り付けられる。
梁状部材７１の一端は、前側固定具７２ｂによって前支持部材７２の長手方向の中央位置に着脱可能に固定される。なお、図３は、天井パネル６ａ側の構造であるが、天井パネル６ｂ側も同様の構造である。
【００２７】
また、一対の天井パネル６ａ，６ｂの各下面（図２における床４１と対向する面）には、図３に示すように、収納部６１が設けられている。
収納部６１は、一対の天井パネル６ａ，６ｂの下面にそれぞれ設けられたポケット状の収納構造を有し、例えば定規などの薄くて小さな荷物の収納に使用される。なお、収納部６１の構造は、これに限らず、例えば、車のトランクネットなどのような網状部材を一対の天井パネル６ａ，６ｂの下面にそれぞれ取り付けることで構成してもよい。
【００２８】
図２に示す後支持部材７３は、梁状部材７１の他端を荷台４の後部において固定することで、一対の天井パネル６ａ，６ｂを、それぞれ床４１の後側で支持する。具体的には、後支持部材７３は、ポスト７４と、ポスト７４を荷台４の後部に取り付ける後側取付具７５，７６とを有している。
【００２９】
ポスト７４は、一対の支柱部７４ａ，７４ｂと、この一対の支柱部７４ａ，７４ｂ間をそれぞれの一端側で接続する接続部７４ｃと、接続部７４ｃの接続を補強する補強部７４ｄと、この接続部７４ｃよりも他端側において一対の支柱部７４ａ，７４ｂ間を連結する断面Ｌ形の長尺の後側アングル７４ｅとで構成されている。具体的には、一対の支柱部７４ａ，７４ｂ、接続部７４ｃおよび補強部７４ｄは、それぞれ金属製の丸パイプで構成され、後側アングル７４ｅを含むこれらポスト７４を構成する各部材は、それぞれ溶接などによって接合されている。
【００３０】
ここで、一対の支柱部７４ａ，７４ｂには、接続部７４ｃの上端よりも下方の位置に紐掛け用のフック７４ｆがそれぞれ設けられている。具体的には、フック７４ｆは、金属製の棒状部材を溶接などによって一対の支柱部７４ａ，７４ｂの外側に下向きに取り付けることで構成する。なお、フック７４ｆの構造は、ゴムバンドなどの紐状部材を締め付けられるものであれば、これに限ったものではない。また、ポスト７４を構成する各部は、溶接ではなく継手などにより連結してもよい。
【００３１】
このポスト７４は、後側取付具７５，７６によって、後側アングル７４ｅが床４１と平行し、かつ、前後方向と直交する方向に沿って延びる状態で後煽り４３に取り付けられる。具体的には、後側取付具７５，７６は、それぞれ断面Ｌ形の長尺の取付アングル７５ａ，７６ａの両端にパイプ締付用のクランプ７５ｂ，７６ｂを溶接などで接合して構成されている。
図４（Ａ）は、後煽り４３近傍を側面から見た断面図であり、図４（Ｂ）は、ボディ３の後部側から見た後煽り４３の近傍の背面図である。
後側取付具７５は、ネジ７５ｃなどにより、閉状態の後煽り４３における上端面４３ａおよび前面４３ｂによる角に取付アングル７５ａが位置するように取り付けられる。後側取付具７６は、ネジ７６ｃなどにより、閉状態の後煽り４３における前面４３ｂおよび床４１による角に取付アングル７６ａが位置するように取り付けられる。
【００３２】
なお、クランプ７５ｂ，７６ｂは、それぞれ取付アングル７５ａ，７６ａの前側に位置し、ともに上方から一対の支柱部７４ａ，７４ｂ（図２）をそれぞれ挿入可能な向きで取付アングル７５ａ，７６ａに接合されている。これにより、後側取付具７５，７６は、図２に示すように、上方から一対の支柱部７４ａ，７４ｂの他端側が挿入されたクランプ７５ｂ，７６ｂをそれぞれボルト締めなどによって締め付けることにより、ポスト７４を後煽り４３に着脱可能に取り付ける。この際、ポスト７４は、後側アングル７４ｅが一対の支柱部７４ａ，７４ｂの前側に位置する向きで取り付けられる。
このポスト７４を構成する後側アングル７４ｅの長手方向の中央位置には、前述した前側固定具７２ｂと同様、ネジおよび連結アングルなどの後側固定具（図示略）によって梁状部材７１の他端が着脱可能に固定される。
【００３３】
以上のように支持部材７が取り付けられることで、一対の天井パネル６ａ，６ｂは、前支持部材７２（図２および図３参照）および後側アングル７４ｅ（図２）によって、下方向への回転が規制される。この一対の天井パネル６ａ，６ｂの回転が規制された状態が一対の天井パネル６ａ，６ｂにおける閉状態である。
また、一対の天井パネル６ａ，６ｂは、この閉状態から各側部端を上方に向けて回転させ、所定位置まで開けた状態（開状態）を保つことが可能に構成されている。
具体的には、図５に示すように、一対の天井パネル６ａ，６ｂの各側部の前側に、前後方向にスライド可能な棒状のストッパー６２が設けられている。なお、図５は、天井パネル６ｂ側を示しているが、天井パネル６ａ側も同様の構成である。
【００３４】
ストッパー６２は、実線に示すように、前方向にスライドさせた状態では、先端部６２ａが天井パネル６ｂの前端から突出するように構成されている。そして、この突出した先端部６２ａを鳥居２３の角部２３ｂに引っ掛けることで開状態を維持する。
一方、開状態から閉状態に戻したい場合には、ストッパー６２を仮想線（二点鎖線）で示す後側にスライドさせ、先端部６２ａが天井パネル６ｂの前端から突出しない位置にすることで、天井パネル６ｂを図５に示す位置から下方に向けて回転可能にする。なお、ここでは図示を省略するが、一対の天井パネル６ａ，６ｂの各側部（例えば各側部の中央位置）には、取っ手が設けられている。これにより、取っ手を掴んで一対の天井パネル６ａ，６ｂをそれぞれ動かすことができるので、一対の天井パネル６ａ，６ｂの開閉を容易に行うことができる。
【００３５】
ここで、一対の天井パネル６ａ，６ｂの取り付け高さについて具体的に説明する。前述した梁状部材７１（図２）は、一端と他端とで、床４１からの高さが同じとなる位置、すなわち水平に取り付けられる。つまり、天井パネル６ａ，６ｂは、閉位置ではそれぞれ水平状態となる。
【００３６】
図６は、ボディ３の後側から見た一対の天井パネル６ａ，６ｂ、梁状部材７１、キャブ２の背面部２１、鳥居２３および一対の側煽り４２ａ，４２ｂを示す。
図６に示すように、一対の天井パネル６ａ，６ｂは、閉状態での一対の天井パネル６ａ，６ｂ（実線）がキャブ２の天井２４よりも下方となる位置でそれぞれ支持される。具体的には、閉状態の一対の天井パネル６ａ，６ｂの上面から床４１までの距離Ｌが床４１から天井２４までの長さＨの約半分の長さとされ、窓２２よりも下方の位置で支持される。より具体的には、図６に仮想線（二点鎖線）で示すように、一対の天井パネル６ａ，６ｂは、上方に向けてそれぞれ約４５度（４５度を含む）だけ回転させた場合（図６中の位置Ａの場合）に、一対の天井パネル６ａ，６ｂの側部端がそれぞれ天井２４の両端部２４ａの近傍かつ、両端部２４ａから突出しない位置に支持される。これにより、天井スペースが狭い場所でも十分に荷物の積み降ろしを行うことができる。
また、一対の天井パネル６ａ，６ｂは、閉状態から上方に向けて約６０度（６０度を含む）だけ回転させた位置（図６中の位置Ｂ）状態で、ストッパー６２によって開状態となるように支持される。
【００３７】
なお、閉状態の一対の天井パネル６ａ，６ｂと立設状態の一対の側煽り４２ａ，４２ｂの間には、それぞれ間隙Ｇが設けられている。例えば、この間隙Ｇの長さｇは、一対の側煽り４２ａ，４２ｂの高さｈと略同じ（同じを含む）に設定される。
そして、前述したように、一対の天井パネル６ａ，６ｂは、上面が平坦に形成されており、閉状態では、図１および図６に示すように、この上面によって荷物を積載する積載部６ｃが形成される。
【００３８】
図２に示す後パネル８は、一対の支柱部７４ａ，７４ｂ、接続部７４ｃおよび後側アングル７４ｅにより囲まれる形状を覆う板面を有する板状部材によって構成される。
この後パネル８は、後支持部材７３に、ボディ３の後部側から上方に開放可能に支持される。具体的には、後パネル８は、一対の支柱部７４ａ，７４ｂにおける後側アングル７４ｅの反対側（後側）に、角材８１を介して蝶番８２によって、床４１と平行し、かつ、前後方向に直交する方向に沿って回転可能に取り付けられる。なお、後パネル８は、例えば、引掛用フックや紐などの留め具をポスト７４に引っ掛けることにより、開放状態を維持可能に構成されている。
【００３９】
シート部材９は、遮光性、防水性および防塵性を有する可撓性の材料で構成され、一対の支柱部７４ａ，７４ｂが突出する状態で天井ユニット５が取り付けられた荷台４の全体を覆うことが可能に構成されている。具体的には、通常サイズの平ボディの荷台カバーよりも一回り大きいもので構成することができ、周縁に取り付けたゴムバンドを一対の側煽り４２ａ，４２ｂおよび後煽り４３などに設けられている荷台フックに引っ掛けることで荷台４上の全体を覆うように構成されている。
【００４０】
以上に説明したボディ３は、例えば、以下のように使用される。
図７は、荷物を積み降ろしする際のボディ３の使用態様の一例である。
ボディ３は、荷物の積み降ろしの際に、一対の側煽り４２ａ，４２ｂをそれぞれ開放した状態にするとともに、一対の天井パネル６ａ，６ｂおよび後パネル８をそれぞれ開状態として、図示するように、床４１に対して荷物の積み降ろしを行うことができる。
なお、ここでは図示を省略するが、一対の天井パネル６ａ，６ｂを閉状態とし、一対の側煽り４２ａ，４２ｂを開放した状態で荷物の積み降ろしを行ってもよい。さらに、一対の天井パネル６ａ，６ｂを閉状態とし、一対の側煽り４２ａ，４２ｂを立設状態として、間隙Ｇ（図３）を介して小さい荷物の積み降ろしを行ってもよい。
また、図示するように、接続部７４ｃおよび長物支持部２３ａ上に長物を積載した状態で一対の天井パネル６ａ，６ｂをそれぞれ開状態とすることができる。
【００４１】
図８は、荷物を積載した際のボディ３の使用態様の一例である。
図示した例では、一対の側煽り４２ａ，４２ｂおよび後煽り４３を立設状態とし、荷台４の床４１上にボックス状の荷物を積載している。
また、接続部７４ｃおよび長物支持部２３ａ上に、長物である角材を積載している。角材は、ボディ３の後部側では、ゴムバンドをフック７４ｆに引っ掛けることで固定されている。
また、一対の天井パネル６ａ，６ｂをそれぞれ閉状態として積載部６ｃを形成し、荷台４の上側全体をシート部材９で覆い、その上に薄板状の荷物を積載している。シート部材９および薄板状の荷物は、ゴムバンドおよび荷台フックにより固定している。
なお、積載部６ｃには、床４１の上に収まらない荷物を積載してもよい。
【００４２】
以上説明したように、本発明の一実施形態によれば、閉状態での一対の天井パネル６ａ，６ｂがキャブ２の天井２４よりも下方となる位置でそれぞれ支持され、その一対の天井パネル６ａ，６ｂの上面に荷物を積載する積載部６ｃが形成される。これにより、積載空間を一対の天井パネル６ａ，６ｂを境として上下に分割することができ、閉状態での一対の天井パネル６ａ，６ｂよりも下の床４１の上だけでなく、閉状態での一対の天井パネル６ａ，６ｂの上、すなわち積載部６ｃにも荷物を積むことができる。
したがって、積載する荷物の大きさや形状に応じて、床４１の上と積載部６ｃの上とで荷物を積み分けることができる。具体的には、図８に示すように、ベニヤ板などの薄板状の荷物と工具箱などのボックス状の荷物を一緒に積むような場合であっても、ボックス状の荷物を床４１の上に積み、薄板状の荷物を積載部６ｃの上に積むことができるので、従来のように、薄板状の荷物を取り出すためにボックス状の荷物も一緒に降ろす必要がなくなる。
また、支持部材７によって一対の天井パネル６ａ，６ｂがボディ３の両側部側からそれぞれ上下方向に開閉可能に支持されるので、一対の天井パネル６ａ，６ｂを開状態にして荷物の積み降ろしを行うことができる。つまり、荷物の積み降ろしをボディ３の両側部側のどこからでも同時かつ容易に行うことができる。
以上のことから、荷物の積み降ろしを簡単かつ効率的に行うことができる。
【００４３】
また、一対の天井パネル６ａ，６ｂは、ボディ３の天井３１を構成するため、床４１の上に積んだ荷物に陽射しや風雨などが当たることを防止することができ、荷物の用途に応じた適切な積載を行うことができる。例えば、頻繁には使用せず、陽射しや風雨などにさらしたくない工具類を工具箱に収めて床４１の上に積み、移動中のみ積載するベニヤ板などの材料を積載部６ｃの上に積むことができる。
【００４４】
さらに、間隙Ｇを有することで、一対の側煽り４２ａ，４２ｂが立設状態であっても、間隙Ｇからそれぞれ荷物を取り出すことができる。また、一対の側煽り４２ａ，４２ｂをボディ３よりも下方に開放することで、間隙Ｇを通らない大きな荷物であっても、一対の天井パネル６ａ，６ｂをそれぞれ閉状態としたまま積み降ろしを行うことができる。
【００４５】
また、閉状態での一対の天井パネル６ａ，６ｂがキャブ２の天井２４よりも下方となる位置で支持されるので、その分、開状態にした天井パネル６ａ，６ｂを低くすることができる。さらに、閉状態の一対の天井パネル６ａ，６ｂと立設状態の一対の側煽り４２ａ，４２ｂとの間を間隙Ｇとすることで、従来のように側壁パネルが邪魔になることがないので、一対の天井パネル６ａ，６ｂをそれぞれ垂直となるほど大きく開けなくても荷物の積み降ろしを容易に行うことができる。
【００４６】
さらに、間隙Ｇをシート部材９によって覆うことができるので、間隙Ｇを介して外部から陽射しや風雨などが侵入することを確実に防止することができ、積載した荷物を保護することができる。
なお、シート部材９は、荷台４の上側全体を覆うため、一対の天井パネル６ａ，６ｂと梁状部材７１の間の隙間から陽射しや風雨などが侵入することも防止でき、一対の天井パネル６ａ，６ｂ、梁状部材７１などについても保護することができる。
【００４７】
また、ポスト７４が、後側取付具７５，７６などにより、後煽り４３に取り付けられることで、ポスト７４を一対の側煽り４２ａ，４２ｂに干渉することなく取り付けることができる。
そして、一対の側煽り４２ａ，４２ｂは、それぞれボディ３の外部に向けて開放可能であるため、ポスト７４を取り付けた状態であっても一対の側煽り４２ａ，４２ｂをそれぞれ開放することができ、ボディ３の両側部側からの荷物の積み降ろしが容易な状態を維持することができる。
【００４８】
また、閉状態での一対の天井パネル６ａ，６ｂが窓２２よりも下方となる位置で支持されるので、キャブ２内からの後方視界が一対の天井パネル６ａ，６ｂによって遮られることを防止することができる。これにより、キャブ２内から窓２２を通じて後方確認を行うことができ、安全性を向上することができる。
【００４９】
さらに、後パネル８を有することで、陽射しや風雨などがボディ３の後部から侵入することを防止することができ、さらには、急発進などで荷物がボディ３の後側から落下するのを防止することができる。
また、ボディ３の後部側から後パネル８を開放することで、ボディ３の後部側から荷物の積み降ろしを行うことができる。
さらに、後パネル８はポスト７４に支持されるため、新たな部材を設けなくても後パネル８を設けることができる。
【００５０】
また、接続部７４ｃが一対の支柱部７４ａ，７４ｂ間を、閉状態における一対の天井パネル６ａ，６ｂよりも上方において接続するので、長物を長物支持部２３ａおよび接続部７４ｃ上に積載することができる。
そして、接続部７４ｃの高さを長物の積載角度が適切になる位置に設定することで、長物を最適に積載することができる。具体的には、接続部７４ｃの高さを長物支持部２３ａの高さに近づけることで、積載した長物を水平に近づけることができる。これにより、地上から、積載した長物の上端までの長さを小さくすることができ、天井スペースが狭い場所でもトラック１を通過や駐車させることができる。
また、開状態における一対の天井パネル６ａ，６ｂをそれぞれ低い位置とすることができる、つまり、一対の天井パネル６ａ，６ｂを大きく開けなくても荷物の積み降ろしが容易に行えるので、長物支持部２３ａおよび接続部７４ｃに長物を積載した状態であっても、一対の天井パネル６ａ，６ｂを開状態にして、ボディ３の両側面側からそれぞれ荷物の積み降ろしを行うことができる。さらには、一対の天井パネル６ａ，６ｂを開状態にしたまま、長物支持部２３ａおよび接続部７４ｃに対して長物の積み降ろしを行うことができる。
【００５１】
さらに、一対の支柱部７４ａ，７４ｂにおける接続部７４ｃの上端よりも下方の位置に紐掛け用のフック７４ｆを有することで、長物支持部２３ａと接続部７４ｃの上に積載した長物をポスト７４側においてゴムバンドなどの紐部材とフック７４ｆにより下方に押さえ付けて固定することができるので、安定して長物を積載することができる。
【００５２】
本発明は、前述した一実施形態で説明したものに限らず、種々の変形が可能である。
例えば、前述した一実施形態では、小型の貨物自動車に適用したが、これに限らず、中型などの貨物自動車に適用してもよい。
また、閉状態の一対の天井パネル６ａ，６ｂと立設状態の一対の側煽り４２ａ，４２ｂとの間に間隙Ｇを設けたが、これに限らず、間隙Ｇの部分を側壁パネルとし、断面Ｌ字状の一対のウィングパネルで構成してもよい。これにより、シート部材９を設けなくても床４１の上に積載した荷物を陽射しや風雨などから確実に保護することができる。
また、前述した一実施形態では、図６に示したように、閉状態における一対の天井パネル６ａ，６ｂを、上面が床４１と平行する平面状に構成したが、これに限らず、例えば、天井パネル６ａ，６ｂの上面の周縁に煽り状の枠を設け、積載部６ｃに積載した荷物の落下を防止する構成としてもよい。なお、図６には、閉状態の一対の天井パネル６ａ，６ｂの上面が一直線状となるように構成したが、これに限らず、梁状部材７１に近づくにつれキャブ２の天井２４側に位置するように、やや山形に支持する構成としてもよい。これにより、雨が降った際などに一対の天井パネル６ａ，６ｂ上の水滴を側部側に流すことができる。
さらに、前述した一実施形態では、前支持部材７２を鳥居２３に取り付けるとしたが、これに限らず、強度が保てるのであれば、背面部２１に直接取り付けてもよい。なお、重い荷物を積載部６ｃに積むような場合には、鳥居２３を補強してもよい。
【００５３】
また、本発明は、一実施形態のようにキャブ２の背面部２１が荷台４の前壁部を兼用する一体型の荷台４に限らず、荷台とキャブとが独立した独立型の荷台にも適用することができる。この場合、前支持部材７２は、キャブ側の荷台における前壁部または前壁部の鳥居に取り付ければよい。
さらに、前述した一実施形態では、閉状態において一対の天井パネル６ａ，６ｂが断面Ｌ形の長尺の前支持部材７２および後側アングル７４ｅによって回転が規制される構成としたが、これに限らず、突起物などによって回転が規制される構成としてもよい。
また、床４１から閉状態の一対の天井パネル６ａ，６ｂまでの距離Ｌや、間隙Ｇの長さｇなどについて具体的に例示したが、これらの長さは、積載頻度の高い荷物の種類などに応じて適宜設定すればよい。また、前述した一対の天井パネル６ａ，６ｂの角度も、例示したものに限らず、車種などに応じて適宜設定すればよい。
さらに、荷台４への天井ユニット５の取り付けを、ネジなどにより行うことで着脱可能な構成としたが、取付方法はこれに限らない。例えば、溶接などによって一体的に形成してもよい。各部を構成する材料も、前述したものに限らず、金属、木材、プラスチックなど、適切なものを選択すればよい。
【００５４】
また、前述した一実施形態では、１枚のシート部材９によって荷台４の上側全体を覆う構成としたが、これに限らず、シート部材を一対の天井パネル６ａ，６ｂの両側部にそれぞれ取り付けて間隙Ｇを覆う構成としてもよい。この場合、一対の天井パネル６ａ，６ｂと梁状部材７１の間を覆うシート部材をさらに設けてもよい。
さらに、図８に示す例では、シート部材９の上に荷物を積んだが、これに限らず、シート部材９の下、すなわち積載部６ｃとシート部材９の間に荷物を積んでもよい。これにより、ゴムバンドなどで荷物を固定する必要がなくなり、さらには、陽射しや風雨などから荷物を保護することができる。また、外観をすっきりさせることができる。
【００５５】
また、前述した一実施形態では、ストッパー６２の先端部６２ａを鳥居２３の角部２３ｂに引っ掛けることで一対の天井パネル６ａ，６ｂを開状態としたが、一対の天井パネル６ａ，６ｂを開状態とする構造は、これに限ったものではない。例えば、ドアストッパーなどと同様な構造の所謂つっかい棒を一対の天井パネル６ａ，６ｂの下面に設け、つっかい棒の先端を前支持部材７２に引っ掛け、突っ張らせることで一対の天井パネル６ａ，６ｂの開状態をそれぞれ維持する構造であってもよい。また、車のボンネットの開閉に用いられる油圧ダンパーなどを用いてもよい。
【符号の説明】
【００５６】
１…トラック、２…キャブ、３…ボディ、５…天井ユニット、６ａ，６ｂ…天井パネル、６ｃ…積載部、７…支持部材、８…後パネル、９…シート部材、２１…背面部、２２…窓、２３…鳥居、２４…天井（キャブ天井）、３１…天井（ボディ天井）４１…床、４２ａ，４２ｂ…側煽り、４３…後煽り、７３…後支持部材、７４ａ，７４ｂ…支柱部、７４ｃ…接続部、７４ｆ…フック、Ｇ…間隙
【図１】
2015131516.tif 000003
【図２】
2015131516.tif 000004
【図３】
2015131516.tif 000005
【図４】
2015131516.tif 000006
【図５】
2015131516.tif 000007
【図６】
2015131516.tif 000008
【図７】
2015131516.tif 000009
【図８】
2015131516.tif 000010
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
キャブとボディとを有するトラックの荷台構造であって、
前記ボディの天井を構成する一対の天井パネルと、
前記一対の天井パネルを前記ボディの両側部側からそれぞれ上下方向に開閉可能に支持する支持部材とを有し、
前記支持部材は、閉状態での前記一対の天井パネルが前記キャブの天井よりも下方となる位置で前記一対の天井パネルをそれぞれ支持し、
前記一対の天井パネルは、閉状態において上面に荷物を積載する積載部を形成し、
前記ボディは、床の両側部からそれぞれ立設する一対の側煽りを有し、
前記一対の側煽りは、前記ボディよりも下方に開放可能に構成されており、
閉状態の前記一対の天井パネルと立設状態の前記一対の側煽りとの間には、それぞれ間隙が形成される
ことを特徴とするトラックの荷台構造。
【請求項２】
請求項１に記載のトラックの荷台構造において、
前記天井パネルの下面にポケット状の収納部が設けられている
ことを特徴とするトラックの荷台構造。
【請求項３】
請求項１または２に記載のトラックの荷台構造において、
前記間隙をそれぞれ覆うシート部材を有する
ことを特徴とするトラックの荷台構造。
【請求項４】
請求項１から３のいずれかに記載のトラックの荷台構造において、
前記ボディは、前記床の後部から立設する後煽りを有し、
前記一対の側煽りは、それぞれ前記ボディの外部に向けて開放可能に構成され、
前記支持部材は、前記一対の天井パネルを前記床の後側でそれぞれ支持する後支持部材を有し、
前記後支持部材は、前記後煽りに取り付けられる
ことを特徴とするトラックの荷台構造。
【請求項５】
請求項１から４のいずれかに記載のトラックの荷台構造において、
前記キャブは、窓を有する背面部を前記ボディ側に有し、
前記支持部材は、閉状態での前記一対の天井パネルが前記窓よりも下方となる位置で前記一対の天井パネルをそれぞれ支持する
ことを特徴とするトラックの荷台構造。
【請求項６】
請求項１から５のいずれかに記載のトラックの荷台構造において、
前記ボディの後壁を構成する後パネルを有し、
前記支持部材は、前記後パネルを前記ボディの後部側から開放可能に支持する
ことを特徴とするトラックの荷台構造。
【請求項７】
請求項１から６のいずれかに記載のトラックの荷台構造において、
前記キャブの前記ボディ側または前記ボディの前記キャブ側には鳥居が立設されており、
前記支持部材は、
前記床の後側における両側部においてそれぞれ立設される一対の支柱部と、
前記一対の支柱部間を、閉状態における前記一対の天井パネルよりも上方において接続する接続部とを有する
ことを特徴とするトラックの荷台構造。
【請求項８】
請求項７に記載のトラックの荷台構造において、
前記一対の支柱部は、前記接続部の上端よりも下方の位置に紐掛け用のフックを有する
ことを特徴とするトラックの荷台構造。
【手続補正２】
【補正対象書類名】明細書
【補正対象項目名】０００６
【補正方法】変更
【補正の内容】
【０００６】
本発明のトラックの荷台構造は、キャブとボディとを有するトラックの荷台構造であって、前記ボディの天井を構成する一対の天井パネルと、前記一対の天井パネルを前記ボディの両側部側からそれぞれ上下方向に開閉可能に支持する支持部材とを有し、前記支持部材は、閉状態での前記一対の天井パネルが前記キャブの天井よりも下方となる位置で前記一対の天井パネルをそれぞれ支持し、前記一対の天井パネルは、閉状態において上面に荷物を積載する積載部を形成し、前記ボディは、床の両側部からそれぞれ立設する一対の側煽りを有し、前記一対の側煽りは、前記ボディよりも下方に開放可能に構成されており、閉状態の前記一対の天井パネルと立設状態の前記一対の側煽りとの間には、それぞれ間隙が形成されることを特徴とする。
【手続補正３】
【補正対象書類名】明細書
【補正対象項目名】００１０
【補正方法】変更
【補正の内容】
【００１０】
さらに、閉状態の一対の天井パネルと立設状態の一対の側煽りとの間に、それぞれ間隙が形成されるので、一対の側煽りがそれぞれ立設状態であっても、間隙からそれぞれ荷物を取り出すことができる。また、一対の側煽りをボディよりも下方に開放することで、間隙を通らない大きな荷物であっても、一対の天井パネルをそれぞれ閉状態としたまま積み降ろしを行うことができる。
本発明では、前記天井パネルの下面にポケット状の収納部が設けられていることが好ましい。
本発明によれば、定規などの薄くて小さな荷物を収納部に収納することができる。
【手続補正４】
【補正対象書類名】明細書
【補正対象項目名】００１４
【補正方法】変更
【補正の内容】
【００１４】
本発明では、前記ボディは、前記床の後部から立設する後煽りを有し、前記一対の側煽りは、それぞれ前記ボディの外部に向けて開放可能に構成され、前記支持部材は、前記一対の天井パネルを前記床の後側でそれぞれ支持する後支持部材を有し、前記後支持部材は、前記後煽りに取り付けられることが好ましい。
本発明によれば、後支持部材が後煽りに取り付けられることで、後支持部材を一対の側煽りに干渉することなく取り付けることができる。
そして、一対の側煽りは、それぞれボディの外部に向けて開放可能であるため、後支持部材を取り付けた状態であっても一対の側煽りをそれぞれ開放することができ、ボディの両側部側からの荷物の積み降ろしが容易な状態を維持することができる。
【手続補正５】
【補正対象書類名】明細書
【補正対象項目名】００１７
【補正方法】変更
【補正の内容】
【００１７】
本発明では、前記キャブの前記ボディ側または前記ボディの前記キャブ側には鳥居が立設されており、前記支持部材は、前記床の後側における両側部においてそれぞれ立設される一対の支柱部と、前記一対の支柱部間を、閉状態における前記一対の天井パネルよりも上方において接続する接続部とを有することが好ましい。
本発明によれば、接続部が一対の支柱部間を閉状態における一対の天井パネルよりも上方において接続するので、パイプや角材などの長物を鳥居および接続部により支持する形、すなわち長物の一端側を鳥居で支持し、他端側を接続部で支持する形で積載することができる。
そして、接続部の高さを長物の積載角度が適切になる位置に設定することで、長物を最適に積載することができる。例えば、接続部の高さを鳥居の高さに近づけることで、積載した長物を水平に近づけることができる。これにより、地上から、積載した長物の上端までの長さを小さくすることができ、天井スペースが狭い場所でもトラックを通過や駐車させることができる。
また、前述したように、開状態における一対の天井パネルをそれぞれ低い位置とすることができるので、鳥居および接続部に長物を積載した状態であっても、一対の天井パネルを開状態にして、ボディの両側面側からそれぞれ荷物の積み降ろしを行うことができる。さらには、一対の天井パネルを開状態にしたまま、鳥居および接続部に対して長物の積み降ろしを行うことができる。